(57)【要約】【課題】光電とって構造の提供。【解決手段】本考案の光電とって構造は、主に、透光水ランプ部にタッチ制御モジュールを嵌組し、且つ、タッチ制御モジュール中の微動スイッチにより電源を起動し、発光素子の動作を生成し、中空座体を呈する連接座を設置し、一端がタッチ制御パネルを容置すると共に、透光水ランプ部に結合し、連接座のもう一端は、組み立て部に成型され、その他の構成素子に連接すると共に、全体を定位し、微動スイッチを作動して、タッチ制御モジュールが発光素子を起動し、発光素子の光線が透光水ランプ部に伝達されて装飾作用を増進する。【選択図】    図１
0003147069.tif 000002
【実用新案登録請求の範囲】
【請求項１】
光電とって構造であって、透光水ランプ部、タッチ制御モジュール、連接座、及び、組み立て部、からなり、
前記透光水ランプ部は、内部が流動液体を充填することができる外観が透光立体造型で、
前記タッチ制御モジュールは、微動スイッチを嵌組して、電源部を起動し、発光素子を作動する座体で、
前記連接座は、中空座体で、一端開口内に前記タッチ制御モジュールを容置すると共に、前記透光水ランプ部に結合され、
前記組み立て部は、前記連接座のもう一端に成型され、その他の構成素子に連接され、全体を定位し、
これにより、前記透光水ランプ部は触動を生成し、前記微動スイッチが前記タッチ制御モジュールを制御して前記発光素子を起動し、前記発光素子の光線が前記透光水ランプ部に伝達されて装飾作用を増進することを特徴とする光電とって構造。
【請求項２】
前記透光水ランプ部内は低流動性の液体を充填することを特徴とする請求項１に記載の光電とって構造。
【請求項３】
前記透光水ランプ部の流動液体内にラメ片を添加することができることを特徴とする請求項１に記載の光電とって構造。
【請求項４】
前記透光水ランプ部の流動液体内にラメ粉を添加することを特徴とする請求項１に記載の光電とって構造。
【請求項５】
前記タッチ制御モジュールは、更に、発光素子の発光を制御する中央制御ユニットを含むことを特徴とする請求項１に記載の光電とって構造。
【請求項６】
前記タッチ制御モジュール中の発光素子は発光ダイオードであることを特徴とする請求項１に記載の光電とって構造。
【請求項７】
前記電源部は水銀電池であることを特徴とする請求項１に記載の光電とって構造。
【請求項８】
前記中央制御ユニットは、前記発光素子を間隔的起動することを特徴とする請求項５に記載の光電とって構造。
【請求項９】
前記中央制御ユニットは、前記発光素子を選択的起動することを特徴とする請求項５に記載の光電とって構造。
【考案の詳細な説明】
【技術分野】
【０００１】
本考案は、光電とって構造に関するものであって、特に、装飾効果に富んだ光電とって構造に関するものである。
【背景技術】
【０００２】
クローゼット、机、整理棚等は収納功能を有する物体であり、収納効果のために、多くの収納空間を設置しているが、収納空間の外に、とってを設置して、収納空間を開閉する設計である。このとって素子が占める空間は小さいが、各種とって設計は仕上げ効果しかない。
【０００３】
上述のとって設計は、多くが、引く力に耐えられるように、或いは、棚全体に適合して造型を変化させるので、各種とって形状があり、細長状、円球状、月状等で、多くは実用性を主とし、とってで面白さ、新奇性設計を表現しているものがないので、とって設計は多くの発展空間がある。
【考案の開示】
【考案が解決しようとする課題】
【０００４】
本考案の目的は、光電とって構造を提供し、上述の問題を改善することにある。
【課題を解決するための手段】
【０００５】
本考案の光電とって構造は、主に、透光水ランプ部にタッチ制御モジュールを嵌組し、且つ、タッチ制御モジュール中の微動スイッチにより電源を起動し、発光素子の動作を生成し、中空座体を呈する連接座を設置し、一端がタッチ制御パネルを容置すると共に、透光水ランプ部に結合し、連接座のもう一端は、組み立て部に成型され、その他の構成素子に連接すると共に、全体を定位し、微動スイッチを作動して、タッチ制御モジュールが発光素子を起動し、発光素子の光線が透光水ランプ部に伝達されて装飾作用を増進する。
【考案の効果】
【０００６】
本考案の光電とって構造により、タッチ制御モジュールの微動スイッチ設計により、微動作で作動され、発光素子を起動して光線を生成し、とって設計が更に変化に富む。
【考案を実施するための最良の形態】
【０００７】
まず、図１は本考案の光電とって構造の立体分解図で、主に、透光水ランプ部１、タッチ制御モジュール３、連接座２、及び、組み立て部４、からなる。
【０００８】
透光水ランプ部１は外観が透光立体造型で、内部は流動液体を充填することができ、且つ、流動液体内に、ラメ片、ラメ粉を添加してもよく、透光水ランプ部１外観は各種、使用者が握持使用する形状に設計できる。
【０００９】
図２を参照すると、タッチ制御モジュール３は、電源部３１、微動スイッチ３２、中央制御ユニット３３、及び、発光素子３４を嵌設する座体で、透光水ランプ部１内に対応して嵌組される。電源部３１は、体積を縮小した水銀電池で、微動スイッチ３２は、主に、タッチセンサーで水銀スイッチなどを導通させ、中央制御ユニット３３は、間隔起動、或いは、選択的起動に設計でき、発光素子３４は発光ダイオードで、且つ、透光水ランプ部１の方向に設置される。
【００１０】
連接座２は、中空座体で、一端開口内にタッチ制御モジュール３を容置する。
【００１１】
組み立て部４は、連接座２のもう一端に成型され、その他の構成素子に連接され、全体を定位する。
【００１２】
これにより、微動スイッチ３２を作動して、タッチ制御モジュール３が発光素子３４を起動し、発光素子３４の光線が透光水ランプ部１に伝達されて装飾作用を増進する。
【００１３】
図３、及び、図４を参照すると、組み立て時、タッチ制御モジュール３内に、電源部３１、微動スイッチ３２、中央制御ユニット３３、及び、発光素子３４を嵌設し、透光水ランプ部１内に対応して嵌組される。透光水ランプ部１内に、流動性のある液体を充填し、且つ、同時に、発光素子３４の透光水ランプ部１に対応して設置され、タッチ制御モジュール３のもう一端は、連接座２により組み合わされ、連接座２はタッチ制御モジュール３を被覆し、且つ、透光水ランプ部１外を被覆し、連接座２もう一端の組み立て部４は、外螺紋、或いは、内螺紋状で対応組み合わせされる。本考案の組み立て部４がその他の構成素子の定位完成後、透光水ランプ部１に触れる時、軽く、タッチ制御モジュール３の微動スイッチ３２に触れるだけで、中央制御ユニット３３、及び、発光素子３４を起動し、所定秒数の間隔的起動を生成し、発光素子３４の光源が透光水ランプ部１を通過して、フラッシュの付加効果を生成する。発光素子３４の輝度効果は所定秒数後停止し、全体に触れる時、発光素子３４が光源を伝達して、全体を輝かせる。
【００１４】
本考案の光電とって構造により、タッチ制御モジュールの微動スイッチ設計により、微動作で作動され、発光素子を起動して光線を生成し、とって設計が更に変化に富む。
【００１５】
よって、本考案は、水ランプの装飾効果が達成され、本考案の素子は、タッチ制御モジュールにより発光素子が発光し、水ランプの装飾部は液体が流動して、躍動感がある。
【図面の簡単な説明】
【００１６】
【図１】本考案の立体分解図である。
【図２】本考案のタッチ制御モジュールを示す図である。
【図３】本考案の組み合わせ断面図である。
【図４】本考案のもう一つの実施例図である。
【符号の説明】
【００１７】
透光水ランプ部１
連接座２
タッチ制御モジュール３
組み立て部４
電源部３１
微動スイッチ３２
中央制御ユニット３３
発光素子３４
【図１】
0003147069.tif 000003
【図２】
0003147069.tif 000004
【図３】
0003147069.tif 000005
【図４】
0003147069.tif 000006